(57)【特許請求の範囲】
【請求項１】
軟質塩化ビニールからなり陸屋根の外装の仕上げ部材である建物の防水シートの改修工事方法であって、その建物の防水シートの改修工事情報が刻印によって記録された部位を有し前記防水シートと同材で制作されたプレートを、前記防水シート表面に、前記防水シートの継ぎ目の連結方法と同一の方法を用いて設置することを特徴とする建物の防水シートの改修工事方法。
【請求項２】
請求項1に記載の方法により防水シートが工事されたことを特徴とする建物。  
【発明の詳細な説明】
【技術分野】
【０００１】
建物外装定期点検や改修工事の履歴を簡易に保持できる工事方法に関する。
【背景技術】
【０００２】
工業化住宅等の建物は、新築の施工を行ったハウスメーカーがその設計仕様、設計図面、竣工仕様、竣工図面、引渡日等の情報を一貫して紙資料やコンピュータのデータで管理して、適切な時期に適切な材料で適切な定期点検、改修工事、又はリフォーム工事を行う体制を整えている。
ところで、定期点検、改修工事、又はリフォーム工事の際、建物を構成する部材は、耐久性の劣化状況に応じて、がなされる。このとき、修理すべきか、交換すべきかの判断を行うに際し、建物の構成部材の現状の正確な劣化診断、残耐久年数の判断が求められる。特に部材を交換する場合は、通常は建設当時の部材を使用できる場合は少なく、機能、性能などが改善された代替品（新部材）を使用するが、その前提として、建物の使用者や住まい手に安心して使用し、住まい続けてもらえるように、ハウスメーカーは、機能や性能などの技術的な観点から新部材への置換が可能であるかどうかを確認（事前検証）する必要もある。そして、これらの修理または交換をすべきかどうかの判断や事前検証には、特に新築時や前回行われた改修工事時に選定し、実際に建物に施工した部材の仕様情報、施工時期の確認行為が最も重要である。
【０００３】
しかしながら、これらの情報の記録の仕方は、様々であるのが実態であり、しかも設計仕様情報は膨大である。したがって例えばコンピュータデータを構築して管理した場合でも改修工事等の実施の有無、時期等の管理が煩雑となりやすく、データを構築しても情報検索しづらいか、または検索できない場合も発生し、建物の構成部材の現状の正確な劣化診断、残耐久年数の判断が困難な場合も考えられる。
また、定期点検、改修工事、又はリフォーム工事に当たっては、その施工業者や作業者等の履歴情報も重要なものとなる。したがって、これらの記録やその更新の情報をハウスメーカーが現場から持ち帰ったり、業者から伝達される情報を蓄積していくことはたいへん事務作業の手間がかかり、情報管理上の問題である。
【０００４】
一方、このように会社等のコンピュータにデータベースとして情報管理する困難さを解決するために特許文献１に開示されたＩＣタグ付き建築用・住宅用部材のような部材を用いて現場にメンテナンスに必要な情報を残すことが考えられる。また、特許文献２には、出願人が研究開発したものであり、建物を構成する部材の耐用年数を互い関連づけて調整・制御し、効率的に定期点検や改修工事ができるメンテナンスプログラムのコンピュータシステム、及びそのような建物が開示されている。
しかし、特許文献１の技術を使用しても開示されたＩＣタグ付き建築用・住宅用部材のような部材は、屋外曝露下において、防水・防湿等の措置を要し、次回の改修工事まで確実に実績や履歴情報を保持する方法がない。
【０００５】
また、特許文献２のメンテナンスプログラムが計画された建物であっても、劣化の進行状況により計画通りにならないこと、すなわち、自然災害・人的要因等などに起因する突発的な改修工事が発生する場合、建物の各部位、各場所が一律でない場合、新築時など初期のメンテナンスプログラムを見直ししなくてはならない場合も発生する。したがって、改修等の実施の有無・時期等の管理が煩雑となりやすく、正規な改修時期を逸脱する場合も予想される。
【特許文献１】特開２００４−０３７９０２号公報
【特許文献２】特開２００１−１５９１９０号公報
【発明の開示】
【発明が解決しようとする課題】
【０００６】
上記背景に鑑み、本発明は、メンテナンスをする作業者や現場管理者がメンテナンスに必要な建築物の設計仕様等の履歴等をＩＣタグなどの特別な技術を必要とせず、簡易に確認することでき、現地で当該現場の定期点検などにおいてメンテナンス工事の内容をいかにすべきかが判断できる情報記録の仕方を、より詳しくは、そのような情報を建物の外装材の構成部材の寿命に応じて現場に簡易に記録を保持できる工事方法、及び突発的な災害などでメンテナンスプログラムの変更があった場合にもその後の改修工事が適切な時期に確実に行われるように、部材の交換又は補修の記録、履歴を保持できる工事方法を提供するものである。
【課題を解決するための手段】
【０００７】
本発明は、以下の通りである。
（１）軟質塩化ビニールからなり陸屋根の外装の仕上げ部材である建物の防水シートの改修工事方法であって、その建物の改修工事情報が刻印によって記録された部位を有し前記防水シートと同材で制作されたプレートを、前記防水シート表面に、前記防水シートの継ぎ目の連結方法と同一の方法を用いて設置することを特徴とする建物の防水シートの改修工事方法。
（２）前記（１）の方法により防水シートが工事されたことを特徴とする建物。
【発明の効果】
【０００８】
（１）により、工事の記録や履歴情報を防水シートの寿命に合わせて保持できる。すなわち、プレートを防水シートと同材としたことで、防水シートと同等の耐久性を確保することができ、工事履歴情報が消滅することがない。特に防水シートの工事と同様の方法により防水シート表面へ設置すれば、防水シート表面とプレートの固着部分の耐久性についても同等の耐久性が確保でき、改修工事履歴情報が消滅することがない。
プレートの設置により、災害（雹害等）・その他不具合発生時等の緊急対処時において、事前に管理したデータを検索する時間を短縮することが可能となり、又現場にて必要情報を取得し、確認することができる。                              
【発明を実施するための最良の形態】
【０００９】
図１は、本発明に係る建物の断面構成の例を示す一部断面斜視図であり、鉄骨軸組の陸屋根構造の建物におけるシート防水の改修工事を行う前の屋根の構成である。建物の「基本躯体」は、鉄筋コンクリートの連続布基礎の上に鉄骨躯体である角柱鋼管、Ｈ型鋼梁で軸組構造の骨組（フレーム）を構成し、軽量気泡コンクリートの外壁板、床板、及び屋根板でシェルターを構成する。また、「基本躯体を覆う外装構成材」は、軽量気泡コンクリートパネルにより形成された床板面４の上に断熱材を兼ねた防水下地パネルを敷き詰めて防水下地３を形成し、その上に絶縁材２ａ（改修後の新設絶縁材２Ａａ）を敷き込み、絶縁シート（絶縁ボード）２（改修後の新設絶縁シート（絶縁ボード）２Ａ）を形成し、最後にシート材１ａ（改修後の新設シート材１Ａａ）により防水シート１（改修後の新設防水シート１Ａ）を形成する。そして、シート１（１Ａ）には、プレート１００が所定の位置に設置される。
【００１０】
防水下地工事に使用する防水下地材３ａは、特開平４−６００４７号公報、特開２００１−９８７１４号公報に記載の通り、パネル化されたものを敷き重ねる。
改修工事に使用する絶縁材２Ａａは、新築時に使用する絶縁材２Ａａと同一、または適宜技術改良を行ったものが選択して使用される。一定巾のガラス繊維クロスシートを使用して、一定方向に隣接する絶縁材２ａに重ね代をとって敷きこむ。（屋上利用の場合のように防水シート面が歩行用となる場合は、絶縁材２ａに珪酸カルシウムボードを使用してもよい。）
【００１１】
改修工事に使用する防水シート材１Ａａは、新築時に使用する防水シート材１ａと同一、または適宜技術改良を行ったものが使用される。本実施例では 軟質塩化ビニール製の防水用シートであり、シート厚みが２．０ｍｍであり、内部に補強用の樹脂などの繊維糸が格子状に入ったものである（例えば、特開昭５８−１２３９６０号公報、特開昭５８−１２４６４５号公報に記載したシート等）。シート材１Ａａは、ロール状（巾１０００〜４５０ｍｍ）に巻かれた製品を現場にて一定方向に敷き流し、巾方向に隣接するシートに重ね代（重ね代を５０ｍｍ）１Ａｂを確保して、熱風による融着又は液体溶剤による溶着により屋根面に一枚に一体化したシート面を構成した防水シート１Ａとする。
プレート１００は、該改修工事と同一の方法（熱風により融着するか、溶着剤にて溶着するか）により改修後、新設の防水シート１Ａのパラペットの立ち上がり６ｂの壁面に固着する。
【００１２】
（プレートの履歴情報と試験片）     
建物外装の改修工事の履歴を保持するために使用されるプレートについて説明する。プレート１００は、別途の特別な防水措置をせずに、耐久性の上で実質的に同一になるものとするため、現場の改修工事に持ち込む防水シート材と同じ生産ロット又は同じ生産時期のものを用いて、予め工場等で制作しておく。プレート１００の形状は、縦１００ｍｍ横  ３００ｍｍ程度、厚み２．０ｍｍの大きさに加工しておく。
プレート１００に記載される改修工事の履歴情報を残す方法は、プレート１００に「シートの規格や仕様」「改修工事の実際の施工年月」「シート材の設計耐用年数」等を示す文字、図形又は記号を刻印することによる。すなわち、刻印は、レーザー装置などを利用して材料の厚み２．０ｍｍに対して厚み方向に ０．８ｍｍ程度に彫り刻みを入れることにより文字、図形又は記号その他これに類するものを現し、次回の改修工事までに情報が消滅しないようにする。プレート１００は、いくつかの区分に、例えばＡ、Ｂ、Ｃ、Ｘ、およびＹ部に分かれており、必要な情報種別ごとに分けて制作しておく。なお、プレート１００に刻印する情報の内容は、劣化の進行に影響のある仕様情報が中心となるが、その他の情報も含ませることが出来る。
【００１３】
また、プレート１００には、試験片Ｘ、Ｙを設けることもできる。自然曝露による紫外線など外部環境の影響によりシート材が経年劣化する進行度合いを屋内で化学的に分析するために健全な防水シート表面仕上げを切断することなく劣化試験の都度切り取って使用できるように用意するものである。
これにより当初の設計より実際の劣化の進行が早い建物や部位について定期点検でフォローすることでき、点検情報のもれがなく、確実に個別対応ができる。
また、改修に使用される外装の仕上げ部材は、劣化診断の促進試験等により耐用年数を決められた部材である。ここで、劣化診断の促進試験は、仕上げ部材の耐候性試験、耐異物接触試験、環境負荷試験などをいう。例えば、防水シートについては、耐候性試験として表面変化、収縮量をメタルハライド、サンシャインウェザー、キセノンウェザーなどの試験機やアリゾナ集光機暴露なども行われる。屋根葺き材や外壁の仕上げ部材などについても同様である。劣化診断は促進試験以外にも、コンピュータシミュレーションによって行うことも出来る。
【００１４】
図２（１）は、プレートの例である。プレート１００の各部に記載される情報は、Ａ部の第１項ａ１は、シート厚（２．０ｍｍ）である。第２項ａ２は、シートメーカー名（Ｐ社）である。第３項ａ３は、改修工事の実際の施工年度（２００２年）を表示する。Ｂ部のｂは、改修工事の施工月（８月）を表示する。Ｃ部の第５項ｃ１は、改修工事の施工地区、及び施工業者名を表示する。Ｃ部の第６項ｃ２には、改修工事を行ったハウスメーカーの管轄の本支店、施工部署名を表示する。Ｘ部、およびＹ部は、試験片である。本実施例では、プレートの両端に２箇所を設けている。
【００１５】
図２（２）は、建物の備えられたメンテナンスプログラムに対応してＤ部を設けたプレートでありメンテナンスプログラム計画に対応する定期的な改修工事の実績が分かるようにしたものである。本例では、プレートのｄ１には、１回目の改修工事の時期１５年目を示す「１５」が刻印されている。また、ｄ２には改修工事の回数の実績である「１（１回目）」を刻印されている。また、ｄ３は、改修工事に使用した仕上げ部材の仕様名（Ｓ）であり、ｄ４は、実際に施工に使用した部材の設計耐用年数（１５年）が刻印されている。
また、別の例としてｄ２には、改修工事の回数の実績である「１（１回目）」の代わりにメンテナンスプログラム計画上の１回目の時期「１５」年目、「２（２回目）」の代わりに「３０」年目が示されたものによってもよい。
【００１６】
なお、１５年や３０年をＡ、Ｂなどと記号化してもよい。
これにより、建物に備えられたメンテナンスプログラムの計画と対応づけて、改修工事の実績が記録され、履歴情報が保持される。
なお、建物の新築工事において本プレートを設置する場合も全く同じ要領で、新築時の外装部材の仕様、メンテナンスプログラムの内容（材料、設計耐用年数、次回のメンテナンス時期など）を刻印したものを貼り付ける。
【００１７】
（プレート設置位置、設置箇所）
プレート１００の設置位置は、将来の防水シートの改修工事の実施時に容易に識別できる位置に設置することが必要であるから、改修仕上げ面の現場作業者が確認しやすい位置であり、建物外周部の庇部、パラペット部の立ち上がり部位に固着する。定期点検の点検員、改修工事の作業者にとって視認性がよく、人の歩行で踏みつけられることがないようにするためである。プレート１００は、該改修工事と同一の方法（熱風により融着するか、溶着剤にて溶着するか）により改修後新設防水シート表面１ａに固着した。       
設置箇所数は、各階１箇所を基本であるが、外壁や腰壁で分断される領域（ベランダ、庇、下屋部など）は各々の部位ごと、領域ごとに設置する。
【００１８】
図３−１は、プレートの設置位置の例を示す図である。（１）は、屋上部の庇端部の設置例、（２）は、屋上部パラペット立上り部の設置例、（３）は、陸屋根の北側斜線制限に対応した斜線制限カット屋根部の設置例、（４）は、ベランダ部腰壁立上り部の設置例である。同一の部位、領域であっても屋根部の平部と北側の勾配（斜線カット）部とでは、各々別個のプレート１００を設置することもある。曝露条件の相違（受光量の違い）により各々の劣化の進行状況が異なり、改修工事の時期が異なる場合もあるからである。すなわち、図３−２のように１つの建物の複数の屋根防水の部位を有する場合には、屋上階は、全領域同時に改修工事を行うため、プレート１００は１箇所である。２階では、ベランダと庇の２つの部位で構成されているため、これらの部位の改修工事が別々の時期に行われることがあるため、各部位ごとにプレート１００を設置することとなる。
【産業上の利用可能性】
【００１９】
本発明は、建物改修工事の分野で好適に利用できる。
【図面の簡単な説明】
【００２０】
【図１】本発明に係る建物の断面構成例を示す一部断面斜視図である。
【図２】プレートの例を示す平面図および断面図である。
【図３−１】は、プレートの設置位置の例を示す写真である。
【図３−２】プレートの設置個所（部位）を説明するための建物平面図である。
【符号の説明】
【００２１】
１…新築時又は前回の改修工事の防水シート
１ａ…新築時又は前回のシート部材
１ｂ…新築時又は前回のシート材の重ね代
１ｃ…新築時又は前回のディスク鋼板
１ｄ…新築時又は前回のパラペット上部の防水シートプレハブ鋼板
１e…新築時又は前回のパラペット下部の防水シートプレハブ鋼板
１Ａ…今回の改修工事の防水シート
１Ａａ…今回の改修工事のシート部材
１Ａｂ…今回の改修工事のシート材の重ね代
１Ａｃ…今回の改修工事のディスク鋼板
１Ａｄ…今回の改修工事のパラペット上部の防水シートプレハブ鋼板
１e…パラペット下部の防水シートプレハブ鋼板
２…新築時又は前回の改修工事の絶縁シート（絶縁ボード）
２ａ…絶縁材
２Ａ…今回の改修工事の絶縁シート（絶縁ボード）
２Ａａ…絶縁材
３…防水下地
３ａ…防水下地パネル
４…基本躯体の床板（軽量気泡コンクリート板）
５…基本躯体の梁（鉄骨鋼材）
６…基本躯体の壁板（軽量気泡コンクリート板）
６ａ…陸屋根の屋上のパラペット
６ｂ…陸屋根の屋上のパラペットの立ち上がり側面
７…基本躯体
１０…防水シート、絶縁シート（絶縁ボード）の切断線
１１…建物の２階南側のベランダ
１２…建物の２階北側の庇
１３…建物の屋上階の屋根
１００…プレート
Ａ、Ｂ、Ｃ 、Ｄ…改修工事の記録や履歴情報を刻印をするプレートの部位
Ｘ 、Ｙ…劣化診断のために試験片
ａ１、ａ２、ａ３、ｂ、ｃ１、ｃ２、ｄ１、ｄ２、ｄ３、ｄ４…改修工事の記録や履歴情報を分割して予め制作したプレート片  
【図１】
0005289683.tif 000002
【図２】
0005289683.tif 000003
【図３−１】
0005289683.tif 000004
【図３−２】
0005289683.tif 000005